(57)【要約】【課題】簡単な構造で、瓶形商品を確実に保持でき、しかも美粧性に優れた瓶形商品テイクアウト用パッケージを提供することを目的とする。【解決手段】概略長方形状の板紙、段ボールあるいは他の薄型形状素材に、瓶の円状底面より狭幅の長方形状の底パネルを設け、底パネルの両辺に瓶の肩高さ程度の長さを有する正面パネルと背面パネルとをそれぞれ連ね、正面パネルの側辺に肩パネルを連ね、背面パネルの側辺に端パネルを連ね、底パネルの両側辺中央にそれぞれＴ字状の切れ込みを刻設し、中央部で正面パネルから肩パネルにかけて楕円孔を穿設し、中央部で背面パネルから端パネルにかけて切欠き楕円孔を穿設し、正面パネルおよび背面パネルの端部のそれぞれに挿通孔を穿設し、前記挿通孔に紐を輪状に挿通させ、底面パネルから正面パネルおよび背面パネルをそれぞれ起立させ、側方より瓶形商品を入れ、瓶形商品の首部を切欠き楕円孔に通し、端パネルを折り曲げ、背面パネルの外面に肩パネル内面を当接させ両者を固着させてなる瓶形商品テイクアウト用パッケージとした。【選択図】　図６
2004067132.tif 000002
【特許請求の範囲】
【請求項１】
概略長方形状の板紙、段ボールあるいは他の薄型形状素材に、瓶の円状底面より狭幅の長方形状の底パネルを設け、底パネルの両辺に瓶の肩高さ程度の長さを有する正面パネルと背面パネルとをそれぞれ連ね、正面パネルの側辺に肩パネルを連ね、背面パネルの側辺に端パネルを連ね、底パネルの両側辺中央にそれぞれＴ字状の切れ込みを刻設し、中央部で正面パネルから肩パネルにかけて楕円孔を穿設し、中央部で背面パネルから端パネルにかけて切欠き楕円孔を穿設し、正面パネルおよび背面パネルの端部のそれぞれに挿通孔を穿設し、前記挿通孔に紐を輪状に挿通させ、底面パネルから正面パネルおよび背面パネルをそれぞれ起立させ、側方より瓶形商品を入れ、瓶形商品の首部を切欠き楕円孔に通し、端パネルを折り曲げ、背面パネルの外面に肩パネル内面を当接させ両者を固着させてなる瓶形商品テイクアウト用パッケージ。
【請求項２】
長方形状の板紙、段ボールあるいは他の薄型形状素材に瓶の円状底面を載置できる正方形状の底パネルと底パネルの上下にそれぞれサイドパネルを設け、サイドパネル・底パネル・サイドパネルの両辺に瓶の高さより若干短めの長さを有する正面パネルと背面パネルとをそれぞれ連ね、底パネルの角より斜め外方を向く折り畳み線を刻設して三角形のウェブコーナーを形成し、正面パネルおよび背面パネルの端部のそれぞれに挿通孔を穿設し、前記挿通孔に紐を輪状に挿通させ、底パネル上に瓶形商品を載置し、サイドパネル・底面パネル・サイドパネルから正面パネルおよび背面パネルをそれぞれ起立させ、サイドパネルおよびウェブコーナーを起立させ、ウェブコーナーを正面パネル・背面パネルの内面近傍に位置させてなる瓶形商品テイクアウト用パッケージ。
【請求項３】
長方形状の板紙、段ボールあるいは他の薄型形状素材に瓶の円状底面を載置できる正方形状の底パネルと底パネルの上下にそれぞれサイドパネルを設け、サイドパネル・底パネル・サイドパネルの両辺に瓶の高さより若干短めの長さを有する正面パネルと背面パネルとをそれぞれ連ね、底パネルの角より斜め外方を向く折り畳み線を刻設して三角形のウェブコーナーを形成し、正面パネルの側辺に肩パネルを連ね、背面パネルの側辺に端パネルを連ね、中央部で正面パネルから肩パネルにかけてロック片を備えた楕円孔を穿設し、中央部で背面パネルから端パネルにかけて楕円孔を穿設し、背面パネルの前記ロック片に対向する位置に切れ込みを刻設し、正面パネルと肩パネルとの間および背面パネルの端部および端パネルにそれぞれ挿通孔を穿設し、前記挿通孔に紐を輪状に挿通させ、底パネル上に瓶形商品を載置し、サイドパネル・底面パネル・サイドパネルから正面パネルおよび背面パネルをそれぞれ起立させ、サイドパネルおよびウェブコーナーを起立させ、ウェブコーナーを正面パネル・背面パネルの内面近傍に位置させ、瓶形商品の首部を端パネルを折り畳んでできた切欠き楕円孔に通し、端パネルを折り曲げ、背面パネルの外面に肩パネル内面を当接させ、ロック片を切れ込みに係合させてなる瓶形商品テイクアウト用パッケージ。
【発明の詳細な説明】
【０００１】
【発明の属する技術分野】
本発明は、瓶形商品テイクアウト用パッケージに関し、日本酒やワイン瓶等の瓶形商品のテイクアウト用パッケージに関するものである。
【０００２】
【従来の技術】
従来の瓶形商品テイクアウト用パッケージとしては、フィルム系の袋、紙製の袋、あるいはきちんと糊貼りされた板紙や段ボール製の箱等が用いられている。
【０００３】
【発明が解決しようとする課題】
従来の瓶形商品テイクアウト用パッケージは、構造が複雑で、美粧性に欠けていた。
【０００４】
【課題を解決するための手段】
そこで、本発明は、上記の事情に鑑み、簡単な構造で、瓶形商品を確実に保持でき、しかも美粧性に優れた瓶形商品テイクアウト用パッケージを提供すべく、概略長方形状の板紙、段ボールあるいは他の薄型形状素材に、瓶の円状底面より狭幅の長方形状の底パネルを設け、底パネルの両辺に瓶の肩高さ程度の長さを有する正面パネルと背面パネルとをそれぞれ連ね、正面パネルの側辺に肩パネルを連ね、背面パネルの側辺に端パネルを連ね、底パネルの両側辺中央にそれぞれＴ字状の切れ込みを刻設し、中央部で正面パネルから肩パネルにかけて楕円孔を穿設し、中央部で背面パネルから端パネルにかけて切欠き楕円孔を穿設し、正面パネルおよび背面パネルの端部のそれぞれに挿通孔を穿設し、前記挿通孔に紐を輪状に挿通させ、底面パネルから正面パネルおよび背面パネルをそれぞれ起立させ、側方より瓶形商品を入れ、瓶形商品の首部を切欠き楕円孔に通し、端パネルを折り曲げ、背面パネルの外面に肩パネル内面を当接させ両者を固着させてなる瓶形商品テイクアウト用パッケージとした。
【０００５】
また、本発明は、特に瓶形商品の底を確実に保持できる瓶形商品テイクアウト用パッケージを提供すべく、長方形状の板紙、段ボールあるいは他の薄型形状素材に瓶の円状底面を載置できる正方形状の底パネルと底パネルの上下にそれぞれサイドパネルを設け、サイドパネル・底パネル・サイドパネルの両辺に瓶の高さより若干短めの長さを有する正面パネルと背面パネルとをそれぞれ連ね、底パネルの角より斜め外方を向く折り畳み線を刻設して三角形のウェブコーナーを形成し、正面パネルおよび背面パネルの端部のそれぞれに挿通孔を穿設し、前記挿通孔に紐を輪状に挿通させ、底パネル上に瓶形商品を載置し、サイドパネル・底面パネル・サイドパネルから正面パネルおよび背面パネルをそれぞれ起立させ、サイドパネルおよびウェブコーナーを起立させ、ウェブコーナーを正面パネル・背面パネルの内面近傍に位置させてなる瓶形商品テイクアウト用パッケージとした。
【０００６】
さらに、本発明は、簡単な構造で、しかも瓶形商品の底を確実に保持できる瓶形商品テイクアウト用パッケージを提供すべく、長方形状の板紙、段ボールあるいは他の薄型形状素材に瓶の円状底面を載置できる正方形状の底パネルと底パネルの上下にそれぞれサイドパネルを設け、サイドパネル・底パネル・サイドパネルの両辺に瓶の高さより若干短めの長さを有する正面パネルと背面パネルとをそれぞれ連ね、底パネルの角より斜め外方を向く折り畳み線を刻設して三角形のウェブコーナーを形成し、正面パネルの側辺に肩パネルを連ね、背面パネルの側辺に端パネルを連ね、中央部で正面パネルから肩パネルにかけてロック片を備えた楕円孔を穿設し、中央部で背面パネルから端パネルにかけて楕円孔を穿設し、背面パネルの前記ロック片に対向する位置に切れ込みを刻設し、正面パネルと肩パネルとの間および背面パネルの端部および端パネルにそれぞれ挿通孔を穿設し、前記挿通孔に紐を輪状に挿通させ、底パネル上に瓶肩商品を載置し、サイドパネル・底面パネル・サイドパネルから正面パネルおよび背面パネルをそれぞれ起立させ、サイドパネルおよびウェブコーナーを起立させ、ウェブコーナーを正面パネル・背面パネルの内面近傍に位置させ、瓶形商品の首部を端パネルを折り畳んでできた切欠き楕円孔に通し、端パネルを折り曲げ、背面パネルの外面に肩パネル内面を当接させ、ロック片を切れ込みに係合させてなる瓶形商品テイクアウト用パッケージとした。
【０００７】
【発明の実施の形態】
本発明を添付する図面に示す具体的な実施例に基づいて、以下詳細に説明する。
【０００８】
瓶を確実にホールド（保持）するため、ネックスルー方式があり、瓶の首部を板紙の切り抜きと折りの構造と、取っ手の紐の引っ張りで固定する。
【０００９】
図１に示す展開図で、概略長方形状の板紙、段ボールあるいは他の薄型形状素材に、瓶の円状底面より狭幅の長方形状の底パネル１を設ける。
【００１０】
底パネル１の両辺の折り曲げ線２・３を介して瓶の肩高さ程度の長さを有する正面パネル４と背面パネル５とをそれぞれ連ねる。
【００１１】
正面パネル４の側辺の折り曲げ線６を介して肩パネル７を連ね、背面パネル５の側辺の折り曲げ線８を介して端パネル９を連ねる。
【００１２】
底パネル１の両側辺の折り曲げ線２・３の中央にそれぞれＴ字状の切れ込み１０・１１を刻設する。
【００１３】
中央部で正面パネル４から肩パネル７にかけて楕円孔１２を穿設する。
【００１４】
中央部で背面パネル５から端パネル９にかけて切欠き楕円１３を穿設する。
【００１５】
正面パネル４および背面パネル５の端部（組み立てた際の上部）のそれぞれに挿通孔１４・１５を穿設する。
【００１６】
前記挿通孔１４・１５に紐を輪状に挿通させる。
【００１７】
図２は、折り曲げ線３で内面どうしが当接するように二つ折りに折り畳んだ状態を示し、この状態で納品される。紐１６は一端を挿通孔１５に通し表面に位置させて、挿通孔１４に通して裏面に位置させて、挿通孔１４を通して表面に位置させて、紐１６の他端は挿通孔１５に通して裏面に位置させる。紐１６の裏面に位置する一端および他端は挿通孔１５から抜け出さないように係止片２０（図７参照）に連結する。
【００１８】
本パッケージに瓶形商品１７を収容すると、図３に示すように、正面パネル４および背面パネル５に印刷できるスペースが十分にあり、美粧性に勝る。
【００１９】
次に、本パッケージの瓶形商品１７の収容について説明する。
【００２０】
図４に示すように、底面パネル１から正面パネル４および背面パネル５をそれぞれ起立させ、側方より瓶形商品１７を入れる。
【００２１】
次に、図５に示すように、瓶形商品１７の首部１８を切欠き楕円孔１３に通す。端パネル９および肩パネル７をそれぞれ折り曲げ、紐１６を引く。
【００２２】
図６に示すように、更に紐１６を引くと、正面パネル４と背面パネル５は瓶形商品１７の側面に密着し、側方にズレなくなる。その後、背面パネル５の外側に肩パネル７内面を当接させてシール１９で貼り付ける。背面パネル５と肩パネル７との固着はシール１９に限定されず、ロック片と切れ込み、糊付けその他の固着手段を用いることができる。
【００２３】
図７に示すように、紐１６で引っ張り上げると、係止片２０により引上げられ、瓶形商品１７の自重とにより正面パネル４と背面パネル５とが瓶形商品１７に密着する。
【００２４】
瓶形商品１７の直径Ｄの変化に対応させるため、底パネル１の幅Ｌは瓶形商品１７の直径より小さく設定し、底パネル１の折り曲げ線２・３の中央にＴ字状の切れ込み１０・１１を刻設しておく。この切れ込み１０・１１が、図８・図９に示すように、外方に膨らみ、瓶形商品１７は側方から脱落しない。
【００２５】
次に、瓶形商品１７の瓶底の脱落を防止するウェブコーナー底を設けた瓶形商品テイクアウト用パッケージについて述べる。
【００２６】
ウェブコーナー底を設けたテイクアウト用パッケージの展開図は図１０に示す通りで、長方形状の板紙、段ボールあるいは他の薄型形状素材に、瓶の円状底面を載置できる正方形状の底パネル２１と、正方形状の底バネル２１と底パネル２１の上下にそれぞれサイドパネル２２・２２を設ける。
【００２７】
サイドパネル２２・底パネル２１・サイドパネル２２の両辺に折り曲げ線２３・２４・２３を介して瓶の高さより若干短めの長さを有する正面パネル２５と背面パネル２６とをそれぞれ連ね、底パネル２１の角２７・２７・２７・２７より斜め外方を向く折り畳み線２８・２８・２８・２８を刻設して三角形のウェブコーナー２９・２９・２９・２９を形成する。
【００２８】
正面パネル２５および背面パネル２６の端部（組み立てた際の上部）のそれぞれに挿通孔３０・３０，３１・３１を穿設し、前記挿通孔３０・３０，３１・３１に紐を輪状に挿通させる。
【００２９】
図１１は、折り曲げ線２３・２４・２３で内面どうしが当接するように二つ折りに折り畳んだ状態を示し、この状態で納品される。紐３２の一端の係止片３３を表面に位置させ、挿通孔３１に通し正面パネル２５内面上に位置させ、挿通孔３０を通して裏面に位置させ、挿通孔３０を通して正面パネル２５内面上に位置させ、紐３２の他端を挿通孔３１を通し、紐３２の他端の係止片３３を表面に位置させる。
【００３０】
本パッケージに瓶形商品３４を収容すると、図１２に示すように、瓶形商品３４の保持が良い。
【００３１】
次に、本パッケージの瓶形商品３４の収容について説明する。
【００３２】
図１３に示すように、先ず瓶形商品３４を展開した底パネル２１上に載置する。次に、両サイドパネル２２・２２を起立させると同時に正面パネル２５・背面パネル２６も起立させる。すると、ウェブコーナー２９内面は正面パネル２５・背面パネル２６内面近傍に位置する。
【００３３】
紐３２を引くと図１４に示した状態となる。
【００３４】
次に、前記のネックスルー方式とウェブコーナー底方式の合成タイプについて述べる。これは瓶割れに対する安全性は高いが、若干手間がかかる。
【００３５】
図１５はその展開図で、長方形状の板紙、段ボールあるいは他の薄型状素材に瓶の円状底面を載置できる正方形状の底パネル４１と底パネル４１の上下にそれぞれサイドパネル４２・４２を設け、サイドパネル４２・底パネル４１・サイドパネル４２の両辺に折り曲げ線４３・４４・４３を介して瓶の高さより若干短めの長さを有する正面パネル４５と背面パネル４６とをそれぞれ連ね、底パネル４１の角４７・４７・４７・４７より斜め外方を向く折り畳み線４８・４８・４８・４８を刻設して三角形のウェブコーナー４９・４９・４９・４９を形成する。
【００３６】
正面パネル４５の側辺に折り曲げ線５３を介して肩パネル５０を連ね、背面パネル４６の側辺に折り曲げ線５４を介して端パネル５１を連ね、中央部で正面パネル４５から肩パネル５０にかけて半円弧状のロック片５２を備えた楕円孔５５を穿設し、中央部で背面パネル４６から端パネル５１にかけて楕円孔５６を穿設する。背面パネル４６の前記ロック片５２に対向する位置に、ロック片５２を受入れ係合させる切れ込み５７を刻設する。
【００３７】
正面パネル４５と肩パネル５０との間の折り曲げ線５３上に挿通孔６１・６１を穿設し、背面パネル４６の端部（組み立てた際の上部）に挿通孔６２・６２を穿設する。
【００３８】
楕円孔５６は中央の折り曲げ線６３で折り畳んで切欠き楕円孔６４とし、端パネル５１の前記挿通孔６２・６２に対向する箇所に挿通孔６３・６３を穿設する。端パネル５１の端部を折り返すため、挿通孔６３・６３の背面パネル４６寄りに折り曲げ線６５を設ける。
【００３９】
前記挿通孔６３（６２）・６３（６２）、６１・６１に紐５８を輪状に挿通させる。紐５８は挿通孔６３（６２）を通り、表面を経て、挿通孔６１を経て、背面を経て挿通孔６１を経て挿通孔６３（６２）に至る。紐５８の両端にはそれぞれ係止片を固着する。
【００４０】
底パネル４１上に瓶形商品５９を載置し、サイドパネル４２・底面パネル４１・サイドパネル４２から正面パネル４５および背面パネル４６をそれぞれ起立させ、サイドパネル４２・４２、ウェブコーナー４９・４９・４９・４９を起立させ、ウェブコーナー４９・４９・４９・４９は正面パネル４５・背面パネル４６の内面近傍に位置させ、瓶形商品５９の首部６０を、端パネル５１を折り曲げ線６６で折り畳んで切欠き楕円孔６４に通し、端パネル５１を折り曲げ線５４・６５で折り曲げ背面パネル４６の外面に肩パネル５０内面を当接させ、ロック片５２を切れ込み５７に係合させる。
【００４１】
【発明の効果】
本発明は、上述のように、概略長方形状の板紙、段ボールあるいは他の薄型形状素材に、瓶の円状底面より狭幅の長方形状の底パネルを設け、底パネルの両辺に瓶の肩高さ程度の長さを有する正面パネルと背面パネルとをそれぞれ連ね、正面パネルの側辺に肩パネルを連ね、背面パネルの側辺に端パネルを連ね、底パネルの両側辺中央にそれぞれＴ字状の切れ込みを刻設し、中央部で正面パネルから肩パネルにかけて楕円孔を穿設し、中央部で背面パネルから端パネルにかけて切欠き楕円孔を穿設し、正面パネルおよび背面パネルの端部のそれぞれに挿通孔を穿設し、前記挿通孔に紐を輪状に挿通させ、底面パネルから正面パネルおよび背面パネルをそれぞれ起立させ、側方より瓶形商品を入れ、瓶形商品の首部を切欠き楕円孔に通し、端パネルを折り曲げ、背面パネルの外面に肩パネル内面を当接させ両者を固着させてなる瓶形商品テイクアウト用パッケージであるので、簡単な構造で、瓶形商品を確実に保持でき、しかも美粧性に優れた瓶形商品テイクアウト用パッケージを提供できる。
【００４２】
また、本発明は、長方形状の板紙、段ボールあるいは他の薄型形状素材に瓶の円状底面を載置できる正方形状の底パネルと底パネルの上下にそれぞれサイドパネルを設け、サイドパネル・底パネル・サイドパネルの両辺に瓶の高さより若干短めの長さを有する正面パネルと背面パネルとをそれぞれ連ね、底パネルの角より斜め外方を向く折り畳み線を刻設して三角形のウェブコーナーを形成し、正面パネルおよび背面パネルの端部のそれぞれに挿通孔を穿設し、前記挿通孔に紐を輪状に挿通させ、底パネル上に瓶形商品を載置し、サイドパネル・底面パネル・サイドパネルから正面パネルおよび背面パネルをそれぞれ起立させ、サイドパネルおよびウェブコーナーを起立させ、ウェブコーナーを正面パネル・背面パネルの内面近傍に位置させてなる瓶形商品テイクアウト用パッケージであるので、特に瓶形商品の底を確実に保持できる瓶形商品テイクアウト用パッケージを提供できる。
【００４３】
さらに、本発明は、長方形状の板紙、段ボールあるいは他の薄型形状素材に瓶の円状底面を載置できる正方形状の底パネルと底パネルの上下にそれぞれサイドパネルを設け、サイドパネル・底パネル・サイドパネルの両辺に瓶の高さより若干短めの長さを有する正面パネルと背面パネルとをそれぞれ連ね、底パネルの角より斜め外方を向く折り畳み線を刻設して三角形のウェブコーナーを形成し、正面パネルの側辺に肩パネルを連ね、背面パネルの側辺に端パネルを連ね、中央部で正面パネルから肩パネルにかけてロック片を備えた楕円孔を穿設し、中央部で背面パネルから端パネルにかけて楕円孔を穿設し、背面パネルの前記ロック片に対向する位置に切れ込みを刻設し、正面パネルと肩パネルとの間および背面パネルの端部および端パネルにそれぞれ挿通孔を穿設し、前記挿通孔に紐を輪状に挿通させ、底パネル上に瓶肩商品を載置し、サイドパネル・底面パネル・サイドパネルから正面パネルおよび背面パネルをそれぞれ起立させ、サイドパネルおよびウェブコーナーを起立させ、ウェブコーナーを正面パネル・背面パネルの内面近傍に位置させ、瓶肩商品の首部を端パネルを折り畳んでできた切欠き楕円孔に通し、端パネルを折り曲げ、背面パネルの外面に肩パネル内面を当接させ、ロック片を切れ込みに係合させてなる瓶肩商品テイクアウト用パッケージであるので、簡単な構造で、しかも瓶形商品の底を確実に保持できる瓶形商品テイクアウト用パッケージを提供できる。
【図面の簡単な説明】
【図１】本発明のネックスルー方式の瓶形商品テイクアウト用パッケージの展開図である。
【図２】図１の展開図のものを二つ折りに折り畳んだ状態の平面図である。
【図３】図１の展開図のものに瓶形商品を収容し組み立てた状態の斜視図である。
【図４】正面パネルおよび背面パネルを起立させ、側方より瓶形商品を入れた状態の斜視図である。
【図５】瓶形商品の首部を切欠き楕円孔に通し、端パネルおよび肩パネルをそれぞれ折り曲げ、紐を引いた状態の斜視図である。
【図６】背面パネルと肩パネルとをシールで貼付けた状態の斜視図である。
【図７】本パッケージに収容された瓶形商品の自重と引上げ力の関係を示す斜視図である。
【図８】底パネルの幅を瓶形商品の直径より小さく設定した状態の平面図である。
【図９】Ｔ字状の切れ込みが外方に膨らんだ状態の図である。
【図１０】本発明のウェブコーナー底を設けた瓶形商品テイクアウト用パッケージの展開図である。
【図１１】図１０の展開図のものを二つ折りに折り畳んだ状態の平面図である。
【図１２】図１０の展開図のものに瓶形商品を収容し組み立てた状態の斜視図である。
【図１３】展開した底パネル上に瓶形商品を載置し、両サイドパネル、ウェブコーナーを起立させた状態の斜視図である。
【図１４】正面パネル、背面パネルを起立させ、紐を引いた状態の斜視図である。
【図１５】ネックスルー方式とウェブコーナー底方式の合成タイプの瓶形商品テイクアウト用パッケージの展開図である。
【図１６】図１５の展開図のものに瓶形商品を収容し組み立てた状態の斜視図である。
【符号の説明】
１…底パネル
４…正面パネル
５…背面パネル
７…肩パネル
９…端パネル
１０・１１…Ｔ字状の切れ込み
１２…楕円孔
１３…切欠き楕円孔
１４・１５…挿通孔
１６…紐
１７…瓶形商品
１８…首部
２１…底パネル
２２…サイドパネル
２５…正面パネル
２６…背面パネル
２７…角
２８…折り畳み線
２９…ウェブコーナー
３０・３１…挿通孔
３２…紐
４１…底パネル
４２…サイドパネル
４５…正面パネル
４６…背面パネル
４７…角
４９…ウェブコーナー
５０…肩パネル
５１…端パネル
５２…ロック片
５５…楕円孔
５７…切れ込み
６１・６２・６３…挿通孔
５８…紐
５９…瓶形商品
６０…首部
６４…切欠き楕円孔
【図１】
2004067132.tif 000003
【図２】
2004067132.tif 000004
【図３】
2004067132.tif 000005
【図４】
2004067132.tif 000006
【図５】
2004067132.tif 000007
【図６】
2004067132.tif 000008
【図７】
2004067132.tif 000009
【図８】
2004067132.tif 000010
【図９】
2004067132.tif 000011
【図１０】
2004067132.tif 000012
【図１１】
2004067132.tif 000013
【図１２】
2004067132.tif 000014
【図１３】
2004067132.tif 000015
【図１４】
2004067132.tif 000016
【図１５】
2004067132.tif 000017
【図１６】
2004067132.tif 000018